(57)【要約】【課題】冷媒から潤滑油を効率よく回収することができるターボ冷凍機の提供。【解決手段】潤滑油を貯溜する油タンク２８と、潤滑油が給油されるインペラ１３，１４の回転駆動によって冷媒を圧縮するターボ圧縮機５と、圧縮された冷媒を液化する凝縮器２と、冷媒液Ｘ２を蒸発させて圧縮される冷媒を生成すると共に冷却対象物を冷却する蒸発器４と、を有するターボ冷凍機１であって、蒸発器４に貯溜された冷媒液Ｘ２の液面に対応する位置に開口する油トラップ部４０と、油トラップ部４０にトラップされた冷媒液Ｘ２を冷媒の沸点以上且つ潤滑油の沸点未満の温度に加熱するヒーター５０と、を有する、という構成を採用する。【選択図】図１
2014066396.tif 000002
【特許請求の範囲】
【請求項１】
潤滑油を貯溜する油タンクと、前記潤滑油が給油されるインペラの回転駆動によって冷媒を圧縮するターボ圧縮機と、前記圧縮された冷媒を液化する凝縮器と、前記液化した冷媒を蒸発させて前記圧縮される冷媒を生成すると共に冷却対象物を冷却する蒸発器と、を有するターボ冷凍機であって、
前記蒸発器に貯溜された前記液化した冷媒の液面に対応する位置に開口する油トラップ部と、
前記油トラップ部にトラップされた前記液化した冷媒を前記冷媒の沸点以上且つ前記潤滑油の沸点未満の温度に加熱する加熱部と、を有する、ことを特徴とするターボ冷凍機。
【請求項２】
前記加熱部は、前記圧縮された冷媒の少なくとも一部との間の熱交換により前記加熱を行う熱交換器を有する、ことを特徴とする請求項１に記載のターボ冷凍機。
【請求項３】
前記加熱部は、前記液化のために用いられる冷却水の少なくとも一部との間の熱交換により前記加熱を行う熱交換器を有する、ことを特徴とする請求項１に記載のターボ冷凍機。
【請求項４】
前記油トラップ部は、外気との間で熱交換可能に設けられており、
前記加熱部は、前記油トラップ部を加熱可能に設けられたヒーターと、前記外気の温度を計測する温度計測部と、前記温度計側部の計測結果に基づいて前記ヒーターの駆動を制御する制御部と、を有する、ことを特徴とする請求項１に記載のターボ冷凍機。
【請求項５】
前記油トラップ部の潤滑油を前記油タンクに返送する油返送部を有する、ことを特徴とする請求項１〜４のいずれか一項に記載のターボ冷凍機。
【請求項６】
前記油トラップ部は、複数設けられており、
前記複数の油トラップ部は、前記開口する高さが互いに異なっている、ことを特徴とする請求項１〜５のいずれか一項に記載のターボ冷凍機。
【発明の詳細な説明】
【技術分野】
【０００１】
本発明は、ターボ冷凍機に関するものである。
【背景技術】
【０００２】
従来から、凝縮器、蒸発器、ターボ圧縮機の順に冷媒を循環させて冷却対象物を冷却するターボ冷凍機が知られている。このようなターボ冷凍機においては、油タンクからターボ圧縮機のインペラの回転軸や軸受等の摺動部位に潤滑油が給油されるようになっている。潤滑油は、油煙となって、または、ミストの状態で冷媒内に混入し、ターボ圧縮機から吐出されて、凝縮器を通って蒸発器に蓄積される。このため、油タンク内から油が徐々になくなっていく所謂油上がりと称される現象が生じていた。
【０００３】
下記特許文献１には、蒸発液の冷媒液中に混入している潤滑油を連続して自動回収ができる圧縮式冷凍機が開示されている。この圧縮式冷凍機においては、蒸発器の冷媒液面付近では、圧縮機から洩れ込んだ潤滑油が冷媒液中に溶け込んで油の濃度が比較的高い状態にあることから、この液面付近の冷媒液をエジェクターによって吸い上げ、油タンクへ送って冷媒液を油タンク内で熱して蒸発させ、蒸発した冷媒ガスは再び圧縮機の吸い込み側に送られることで、冷凍サイクルを構成している。
【先行技術文献】
【特許文献】
【０００４】
【特許文献１】特開平７−８３５２６号公報
【発明の概要】
【発明が解決しようとする課題】
【０００５】
しかしながら、冷媒をそのまま油タンクに導入してしまうと、冷媒の蒸発により油タンク内を通過する冷媒ガス量が増加して、油タンクから圧縮機の吸い込み側に向かって冷媒の流速が増加し、油タンク内の油煙やミスト状の油滴が当該冷媒と共に圧縮機に吸い込まれ易くなり、凝縮器を通って再び蒸発器に蓄積され易くなってしまうという問題があった。
【０００６】
本発明は、上記問題点に鑑みてなされたものであり、冷媒から潤滑油を効率よく回収することができるターボ冷凍機の提供を目的とする。
【課題を解決するための手段】
【０００７】
上記の課題を解決するために、本発明は、潤滑油を貯溜する油タンクと、前記潤滑油が給油されるインペラの回転駆動によって冷媒を圧縮するターボ圧縮機と、前記圧縮された冷媒を液化する凝縮器と、前記液化した冷媒を蒸発させて前記圧縮される冷媒を生成すると共に冷却対象物を冷却する蒸発器と、を有するターボ冷凍機であって、前記蒸発器に貯溜された前記液化した冷媒の液面に対応する位置に開口する油トラップ部と、前記油トラップ部にトラップされた前記液化した冷媒を前記冷媒の沸点以上且つ前記潤滑油の沸点未満の温度に加熱する加熱部と、を有する、という構成を採用する。
この構成を採用することによって、本発明では、蒸発器の冷媒液の液面付近から油の濃度が比較的高い状態の冷媒液をトラップし、トラップした冷媒液を加熱することで冷媒のみを蒸発させて除去し、潤滑油を濃縮させて回収することができる。
【０００８】
また、本発明においては、前記加熱部は、前記圧縮された冷媒の少なくとも一部との間の熱交換により前記加熱を行う熱交換器を有する、という構成を採用する。
この構成を採用することによって、本発明では、ターボ圧縮機によって圧縮された冷媒の熱を利用して、トラップした冷媒を蒸発させることができるため、別途熱源を用意することなく運転させることができる。
【０００９】
また、本発明においては、前記加熱部は、前記液化のために用いられる冷却水の少なくとも一部との間の熱交換により前記加熱を行う熱交換器を有する、という構成を採用する。
この構成を採用することによって、本発明では、凝縮器において用いられる冷却水の熱を利用して、トラップした冷媒を蒸発させることができるため、別途熱源を用意することなく運転させることができる。
【００１０】
また、本発明においては、前記油トラップ部は、外気との間で熱交換可能に設けられており、前記加熱部は、前記油トラップ部を加熱可能に設けられたヒーターと、前記外気の温度を計測する温度計測部と、前記温度計側部の計測結果に基づいて前記ヒーターの駆動を制御する制御部と、を有する、という構成を採用する。
この構成を採用することによって、本発明では、夏場等においては外気の熱を利用して、トラップした冷媒を蒸発させることができ、別途熱源を用意することなく運転させることができると共に、外気の熱を利用し難い冬場等においてはヒーターが駆動することで、トラップした冷媒を蒸発させることができる。
【００１１】
また、本発明においては、前記油トラップ部の潤滑油を前記油タンクに返送する油返送部を有する、という構成を採用する。
この構成を採用することによって、本発明では、油トラップ部において濃縮した潤滑油を自動的に油タンクに返送することができる。
【００１２】
また、本発明においては、前記油トラップ部は、複数設けられており、前記複数の油トラップ部は、前記開口する高さが互いに異なっている、という構成を採用する。
この構成を採用することによって、本発明では、蒸発器における液面が一定の高さに保たれていなくても、油の濃度が比較的高い状態の冷媒液をトラップすることができる。
【発明の効果】
【００１３】
本発明によれば、冷媒から潤滑油を効率よく回収することができるターボ冷凍機が得られる。
【図面の簡単な説明】
【００１４】
【図１】本発明の第１実施形態におけるターボ冷凍機の系統図である。
【図２】本発明の第２実施形態におけるターボ冷凍機の系統図である。
【図３】本発明の第３実施形態におけるターボ冷凍機の系統図である。
【図４】本発明の第４実施形態における蒸発器の側面図である。
【図５】本発明の第５実施形態におけるターボ冷凍機の系統図である。
【発明を実施するための形態】
【００１５】
以下、本発明の実施形態について図面を参照して説明する。
【００１６】
（第１実施形態）
図１は、本発明の第１実施形態におけるターボ冷凍機１の系統図である。
本実施形態のターボ冷凍機１は、例えばフロンを冷媒として、空調用の冷水を冷却対象物とするものである。ターボ冷凍機１は、図１に示すように、凝縮器２と、膨張弁３と、蒸発器４と、ターボ圧縮機５と、を備えている。
【００１７】
凝縮器２は、流路Ｒ１を介してターボ圧縮機５のガス吐出管５ａと接続されている。凝縮器２には、ターボ圧縮機５によって圧縮された冷媒（圧縮冷媒ガスＸ１）が流路Ｒ１を通って供給されるようになっている。凝縮器２は、この圧縮冷媒ガスＸ１を液化するものである。凝縮器２は、冷却水が流通する伝熱管２ａを備え、圧縮冷媒ガスＸ１と冷却水と間の熱交換によって、圧縮冷媒ガスＸ１を冷却するようになっている。
【００１８】
圧縮冷媒ガスＸ１は、冷却水との間の熱交換によって冷却され、液化し、冷媒液Ｘ２となって凝縮器２の底部に溜まる。凝縮器２の底部は、流路Ｒ２を介して蒸発器４と接続されている。流路Ｒ２には、冷媒液Ｘ２を減圧するための膨張弁３が設けられている。蒸発器４には、膨張弁３によって減圧された冷媒液Ｘ２が流路Ｒ２を通って供給されるようになっている。
【００１９】
蒸発器４は、冷媒液Ｘ２を蒸発させてその気化熱によって冷水を冷却するものである。蒸発器４は、冷水が流通する伝熱管４ａを備え、冷媒液Ｘ２と冷水と間の熱交換によって、冷水を冷却すると共に冷媒液Ｘ２を蒸発させるようになっている。冷媒液Ｘ２は、冷水との間の熱交換によって熱を奪って蒸発し、冷媒ガスＸ３となる。蒸発器４の頂部は、流路Ｒ３を介してターボ圧縮機５のガス吸入管５ｃと接続されている。
【００２０】
ターボ圧縮機５には、蒸発器４において蒸発した冷媒ガスＸ３が流路Ｒ３を通って供給されるようになっている。ターボ圧縮機５は、蒸発した冷媒ガスＸ３を圧縮し、圧縮冷媒ガスＸ１として凝縮器２に供給するものである。ターボ圧縮機５は、冷媒ガスＸ３を圧縮する第１圧縮段１１と、一段階圧縮された冷媒をさらに圧縮する第２圧縮段１２と、を具備する２段圧縮機である。
【００２１】
第１圧縮段１１にはインペラ１３が設けられ、第２圧縮段１２にはインペラ１４が設けられており、それらが回転軸１５で接続されている。ターボ圧縮機５は、電動機１０によってインペラ１３，１４を回転駆動させて冷媒を圧縮するようになっている。インペラ１３，１４は、ラジアルインペラであり、軸方向で吸気した冷媒を半径方向に導出する不図示の３次元的ねじれを含むブレードを有する。
【００２２】
ガス吸入管５ｃには、第１圧縮段１１の吸入量を調節するためのインレットガイドベーン１６が設けられている。インレットガイドベーン１６は、冷媒ガスＸ３の流れ方向からの見かけ上の面積が変更可能なように回転可能とされている。インペラ１３，１４の周りには、それぞれディフューザ流路が設けられており、半径方向に導出した冷媒を、当該流路において圧縮・昇圧し、また、さらにその周りに設けられたスクロール流路によって次の圧縮段に供給することができるようになっている。インペラ１４の周りには、出口絞り弁１７が設けられており、ガス吐出管５ａからの吐出量を制御できるようになっている。
【００２３】
ターボ圧縮機５は、密閉型の筐体２０を備える。筐体２０は、圧縮流路空間Ｓ１と、第１の軸受収容空間Ｓ２と、モーター収容空間Ｓ３と、ギヤユニット収容空間Ｓ４と、第２の軸受収容空間Ｓ５と、に区画されている。圧縮流路空間Ｓ１には、インペラ１３，１４が設けられている。インペラ１３，１４を接続する回転軸１５は、圧縮流路空間Ｓ１、第１の軸受収容空間Ｓ２、ギヤユニット収容空間Ｓ４に挿通して設けられている。第１の軸受収容空間Ｓ２には、回転軸１５を支持する軸受２１が設けられている。
【００２４】
モーター収容空間Ｓ３には、ステータ２２と、ロータ２３と、ロータ２３に接続された回転軸２４と、が設けられている。この回転軸２４は、モーター収容空間Ｓ３、ギヤユニット収容空間Ｓ４、第２の軸受収容空間Ｓ５に挿通して設けられている。第２の軸受収容空間Ｓ５には、回転軸２４の反負荷側を支持する軸受３１が設けられている。ギヤユニット収容空間Ｓ４には、ギヤユニット２５と、軸受２６，２７と、油タンク２８と、が設けられている。
【００２５】
ギヤユニット２５は、回転軸２４に固定される大径歯車２９と、回転軸１５に固定されると共に大径歯車２９と噛み合う小径歯車３０と、を有する。ギヤユニット２５は、回転軸２４の回転数に対して回転軸１５の回転数が増加（増速）するように、回転駆動力を伝達するものである。軸受２６は、回転軸２４を支持するものである。軸受２７は、回転軸１５を支持するものである。油タンク２８は、軸受２１，２６，２７，３１等のインペラ１３，１４の各摺動部位に供給される潤滑油を貯溜するものである。なお、符号３７は、各摺動部位に潤滑油を供給する給油ポンプである。
【００２６】
このような筐体２０には、圧縮流路空間Ｓ１と第１の軸受収容空間Ｓ２との間において、回転軸１５の周囲をシールするシール部３２，３３が設けられている。また、筐体２０には、圧縮流路空間Ｓ１とギヤユニット収容空間Ｓ４との間において、回転軸１５の周囲をシールするシール部３４が設けられている。また、筐体２０には、ギヤユニット収容空間Ｓ４とモーター収容空間Ｓ３との間において、回転軸２４の周囲をシールするシール部３５が設けられている。また、筐体２０には、モーター収容空間Ｓ３と第２の軸受収容空間Ｓ５との間において、回転軸２４の周囲をシールするシール部３６が設けられている。
【００２７】
ところで、ギヤユニット収容空間Ｓ４では、ギヤユニット２５の特にインペラ１３，１４に回転駆動力を伝達する大径歯車２９によって、潤滑油が掻き上げられ、ミスト状の油滴や油煙が発生している。また、回転軸１５，２４の摺動部位におけるシールは完全ではないため、例えば空間の圧力差によって潤滑油が他の空間に漏れ出すと、冷媒に混入して圧縮流路空間Ｓ１に導入され、凝縮器２を通って蒸発器４に溜まり、油タンク２８の液面の低下及び蒸発器４における冷媒への伝熱効率の低下となる。
【００２８】
蒸発器４には、油トラップ部４０が設けられている。油トラップ部４０は、蒸発器４の冷媒液Ｘ２の液面付近から油の濃度が比較的高い状態の冷媒液Ｘ２をトラップして貯溜する構成となっている。油トラップ部４０は、蒸発器４に貯溜された冷媒液Ｘ２の液面に対応する位置に開口する吸液口４１を有する。蒸発器４においては、冷媒液Ｘ２の底部からの導入等により、貯溜された冷媒液Ｘ２の液面が揺動しており、油トラップ部４０は、当該揺動した冷媒液Ｘ２をトラップするようになっている。
【００２９】
このため、油トラップ部４０の吸液口４１は、蒸発器４に貯溜された冷媒液Ｘ２の液面揺動がないと仮定した静的な液面１００の高さ以上の高さに設けられている。本実施形態の吸液口４１の下端は、静的な液面１００に接近して配置されている。これにより、油トラップ部４０は、蒸発器４に貯溜された冷媒液Ｘ２を大量にトラップすることがなく、蒸発器４の冷媒液Ｘ２の液面付近から油の濃度が比較的高い状態の上澄み液のみを捕集・吸液することができる。
【００３０】
油トラップ部４０は、蒸発器４の側部に接続されており、蒸発器４の内部と連通している。本実施形態の油トラップ部４０は、継手であるＬ字のエルボ管から形成されている。油トラップ部４０は、吸液口４１から水平方向に延びる導入部４２と、導入部４２と連通し鉛直下方に延びる貯溜部４３と、を有する。これにより、蒸発器４に貯溜された冷媒液Ｘ２のうち吸液口４１を介して溢れ出たものを、導入部４２を通って貯溜部４３に滞留させることができる。
【００３１】
貯溜部４３には、ヒーター（加熱部）５０が設けられている。本実施形態のヒーター５０は、電熱ヒーターであり温度制御が可能な構成となっている。ヒーター５０は、油トラップ部４０にトラップされた冷媒液Ｘ２を冷媒の沸点以上且つ潤滑油の沸点未満の温度に加熱するものである。冷媒の沸点及び潤滑油の沸点はその成分や圧力によって変化するものであるが、概略として例えば、冷媒の沸点は十数℃程度で、潤滑油の沸点は百℃以上であるため、その間に加熱温度を設定することは比較的容易にすることができる。
【００３２】
ヒーター５０は、油トラップ部４０の貯溜部４３の周りを囲うように設けられている。本実施形態の油トラップ部４０のようにエルボ管から形成されている場合、当該エルボ管の周りに電熱線を巻き付けるようにしてヒーター５０を配置してもよい。油トラップ部４０を形成するエルボ管には、熱伝導性の高いアルミニウムや銅等の金属材を採用することが好ましい。また、ヒーター５０の熱で蒸発器４の中の冷媒液Ｘ２が温まって冷水の冷却効率が低下しないように、ヒーター５０と蒸発器４との間に断熱部材を配置することが好ましい。
【００３３】
本実施形態では、油トラップ部４０の貯溜部４３における潤滑油を油タンク２８に返送する油返送部６０を有する。油返送部６０は、流路Ｒ４と、エジェクター６１と、を有する。流路Ｒ４は、貯溜部４３の底と、油タンク２８とを接続するものである。流路Ｒ４には、潤滑油を搬送するためのエジェクター６１が設けられている。エジェクター６１は、流体の流動によって負圧を発生させ、貯溜部４３の底に溜まった潤滑油を吸い込んで搬送するものである。流体としては、各摺動部位から油タンク２８に戻って行く潤滑油や圧縮冷媒ガスＸ１等を用いることができる。
【００３４】
続いて、上記構成のターボ冷凍機１の作用について説明する。
【００３５】
ターボ圧縮機５が駆動すると、蒸発器４の冷媒ガスＸ３がインペラ１３，１４によって吸い込まれ、圧縮されて圧縮冷媒ガスＸ１となって凝縮器２に導かれる。凝縮器２で冷媒は液化し、蒸発器４に送られる際に膨張弁３によって冷媒液Ｘ２の温度が低下して蒸発器４を満たす。蒸発器４では、冷媒液Ｘ２が冷水から熱を奪って蒸発して冷媒ガスＸ３となり、冷媒ガスＸ３は再びターボ圧縮機５に吸い込まれる。このように冷媒が、ターボ圧縮機５、凝縮器２、蒸発器４を順に循環することで、冷凍サイクルが繰り返される。
【００３６】
この冷凍サイクルにおいて冷媒に混入した潤滑油は、蒸発器４において蒸発することができずに蒸発器４に溜まる。潤滑油は、比重の関係で冷媒液Ｘ２の液面付近において比較的濃度が高く、蒸発器４における冷媒液Ｘ２の液面は、流路Ｒ２を介して導入される冷媒液Ｘ２等によって揺動している。この蒸発器４には、油トラップ部４０が設けられている。油トラップ部４０は、蒸発器４の冷媒液Ｘ２の液面付近において揺動する油の濃度が比較的高い状態の冷媒液Ｘ２をトラップして貯溜する。
【００３７】
ここで、油トラップ部４０の吸液口４１は、蒸発器４に貯溜された冷媒液Ｘ２の液面揺動がないと仮定した静的な液面１００の高さ以上の高さに設けられているため、蒸発器４に貯溜された冷媒液Ｘ２を大量にトラップすることがなく、蒸発器４の冷媒液Ｘ２の液面付近から油の濃度が比較的高い状態の上澄み液のみを捕集・吸液することができる。吸液口４１に導入された冷媒液Ｘ２は、導入部４２を水平方向に流通した後、鉛直下方に落下し貯溜部４３に溜まる。
【００３８】
油トラップ部４０の貯溜部４３には、ヒーター５０が設けられている。ヒーター５０は、油トラップ部４０にトラップされた冷媒液Ｘ２を冷媒の沸点以上且つ潤滑油の沸点未満の温度に加熱する。ヒーター５０の加熱により、冷媒液Ｘ２は蒸発して冷媒ガスＸ３となって油トラップ部４０の吸液口４１を介して蒸発器４の中に戻り、再びターボ圧縮機５に吸い込まれ、冷凍サイクルに寄与することとなる。このように、トラップした冷媒液Ｘ２を加熱することで冷媒のみを蒸発させて除去し、潤滑油を濃縮させることができる。
【００３９】
また、本実施形態においては、油返送部６０が設けられており、油トラップ部４０の貯溜部４３の底には、溜まった潤滑油を抜き出す流路Ｒ４が接続されている。油トラップ部４０において濃縮された潤滑油は、エジェクター６１によって流路Ｒ４を介して油タンク２８に返送される。このように、回収した潤滑油は、油タンク２８に戻るため、油上がりを確実に防止することができる。
このように、油トラップ部４０において予め冷媒を除去することによって、油タンク２８の中でガス化する冷媒量が少なくなり、タンク圧力も低くなるため、各摺動部位に供給された潤滑油が油タンク２８に戻ってくることが容易になり、また油煙やミスト状の油滴が当該冷媒と共に漏出することを防止することができる。
【００４０】
したがって、上述の本実施形態によれば、潤滑油を貯溜する油タンク２８と、潤滑油が給油されるインペラ１３，１４の回転駆動によって冷媒を圧縮するターボ圧縮機５と、圧縮された冷媒を液化する凝縮器２と、冷媒液Ｘ２を蒸発させて圧縮される冷媒を生成すると共に冷却対象物を冷却する蒸発器４と、を有するターボ冷凍機１であって、蒸発器４に貯溜された冷媒液Ｘ２の液面に対応する位置に開口する油トラップ部４０と、油トラップ部４０にトラップされた冷媒液Ｘ２を冷媒の沸点以上且つ潤滑油の沸点未満の温度に加熱するヒーター５０と、を有する、という構成を採用することによって、冷媒から潤滑油を効率よく回収することができるターボ冷凍機１が得られる。
【００４１】
（第２実施形態）
次に、本発明の第２実施形態について説明する。以下の説明において、上述の実施形態と同一又は同等の構成部分については同一の符号を付し、その説明を簡略若しくは省略する。
【００４２】
図２は、本発明の第２実施形態におけるターボ冷凍機１の系統図である。
図２に示すように、第２実施形態では、油トラップ部４０にトラップされた冷媒液Ｘ２を加熱する加熱部として熱交換器５１を有する点で、上記実施形態と異なる。
【００４３】
熱交換器５１は、圧縮冷媒ガスＸ１の少なくとも一部との間の熱交換により加熱を行う構成となっている。熱交換器５１は、油トラップ部４０の貯溜部４３に巻回された伝熱管５１ａを有する。伝熱管５１ａの一端は、流路Ｒ１と接続されており、圧縮されて高温となった圧縮冷媒ガスＸ１が供給されるようになっている。伝熱管５１ａの他端は、蒸発器４と接続されており、当該熱交換により熱を奪われた圧縮冷媒ガスＸ１を蒸発器４に導入させるようになっている。
【００４４】
上記構成の第２実施形態によれば、ターボ圧縮機５によって圧縮された圧縮冷媒ガスＸ１の熱を利用して、トラップした冷媒を蒸発させることができるため、別途熱源を用意する必要がなく、また、凝縮器２における冷却の仕事量を減らし、運転効率を向上させることができる。なお、冷媒の加熱温度は、伝熱管５１ａの巻数や接触面積等によって容易に調整することができる。また、上記実施形態のヒーター５０を併設して、最終的な温度調整をヒーター５０で行ってもよい。
【００４５】
（第３実施形態）
次に、本発明の第３実施形態について説明する。以下の説明において、上述の実施形態と同一又は同等の構成部分については同一の符号を付し、その説明を簡略若しくは省略する。
【００４６】
図３は、本発明の第３実施形態におけるターボ冷凍機１の系統図である。
図３に示すように、第３実施形態では、油トラップ部４０にトラップされた冷媒液Ｘ２を加熱する加熱部として熱交換器５２を有する点で、上記実施形態と異なる。
【００４７】
熱交換器５２は、凝縮器２において液化のために用いられる冷却水の少なくとも一部との間の熱交換により加熱を行う構成となっている。熱交換器５２は、油トラップ部４０の貯溜部４３に巻回された伝熱管５２ａを有する。伝熱管５２ａの一端は、凝縮器２の伝熱管２ａの入口側と接続されており、蒸発器４における冷媒温度と比べて高温の冷却水が供給されるようになっている。伝熱管５２ａの他端は、凝縮器２の伝熱管２ａの出口側と接続されており、熱交換した冷却水を出口側の伝熱管２ａに合流させるようになっている。
【００４８】
上記構成の第３実施形態によれば、凝縮器２において用いられる冷却水の熱を利用して、トラップした冷媒を蒸発させることができるため、別途熱源を用意する必要がなく、また、運転効率を向上させることができる。なお、伝熱管５２ａは、凝縮器２の伝熱管２ａの入口側と接続される構成であってもよく、例えば、伝熱管５２ａを、凝縮器２の伝熱管２ａの出口側と接続させて、凝縮器２において熱交換して高温となった冷却水をポンプによって供給するようにすれば、出口側の方が凝縮器２において冷媒から熱を奪って高温となっているため加熱効率を高くすることができる。また同様に、上記実施形態のヒーター５０を併設して、最終的な温度調整をヒーター５０で行ってもよい。
【００４９】
（第４実施形態）
次に、本発明の第４実施形態について説明する。以下の説明において、上述の実施形態と同一又は同等の構成部分については同一の符号を付し、その説明を簡略若しくは省略する。
【００５０】
図４は、本発明の第４実施形態における蒸発器４の側面図である。
図４に示すように、第４実施形態では、油トラップ部４０が複数設けられており、複数の油トラップ部４０は、開口する高さが互いに異なっている点で、上記実施形態と異なる。
【００５１】
図４に示すように、蒸発器４は水平に軸が設定された円筒形状を有し、その一端側の底部から冷媒液Ｘ２が導入され、その他端側の頂部から冷媒ガスＸ３が流出していくため、貯溜された冷媒液Ｘ２の液面のレベルは一定でなく、一端側と他端側とで僅かな差があって傾いている（図４において水平線を一点鎖線で示す）。このため、第４実施形態では、この傾きに対応して複数の油トラップ部４０は、開口する高さが互いに異なっている。
【００５２】
上記構成の第４実施形態によれば、蒸発器４における液面が一定の高さに保たれていなくても、複数の油トラップ部４０は、開口する高さが互いに異なっているため、油の濃度が比較的高い状態の冷媒液Ｘ２をトラップすることができる。また、例えばターボ冷凍機１の運転開始時や停止時において蒸発器４において液面が大きく変動するような場合であっても、高さの異なる油トラップ部４０のいずれかが油の濃度が比較的高い状態の冷媒液Ｘ２をトラップすることができる。
【００５３】
（第５実施形態）
次に、本発明の第５実施形態について説明する。以下の説明において、上述の実施形態と同一又は同等の構成部分については同一の符号を付し、その説明を簡略若しくは省略する。
【００５４】
図５は、本発明の第５実施形態におけるターボ冷凍機１の系統図である。
図５に示すように、第５実施形態では、油トラップ部４０を加熱可能に設けられたヒーター５０と、外気の温度を計測する温度計測部６２と、温度計側部６２の計測結果に基づいてヒーター５０の駆動を制御する制御部６３と、を有する点で、上記実施形態と異なる。
【００５５】
本実施形態の温度計側部６２は、外気の温度を直接的に計測する温度センサーからなり、計測結果を制御部６３に出力する構成となっている。なお、第５実施形態では温度計測の精度は要求されないので、例えば温度計側部６２は、外気の温度を間接的に計測するもの、例えば、年間の各季節における平均の温度データを予め記憶しておき、現日付と当該温度データを照合して該当する温度データから外気の温度を導くもの等であってもよい。
【００５６】
本実施形態の制御部６３は、温度計側部６２から受信した信号に基づいて、ヒーター５０の駆動を制御する。具体的に、制御部６３は、温度計側部６２の計測結果が所定の閾値以上のときにヒーター５０の駆動を「ＯＦＦ」にし、当該閾値未満のときにヒーター５０の駆動を「ＯＮ」にする制御を行う。当該閾値としては、冬場等で０℃以下とならない程度の温度に設定することが好ましい。
【００５７】
上記構成の第５実施形態によれば、油トラップ部４０が熱伝導性のある金属材で構成され、また冷媒自体の沸点も低いことから、夏場等においては外気の熱を利用して、トラップした冷媒を蒸発させることができ、ヒーター５０に電源を入れることなく運転させることができる。一方、外気の熱を利用し難い冬場等においては、温度計側部６２の計測結果に基づいて、制御部６３がヒーター５０を駆動させることで、トラップした冷媒を蒸発させることで加熱機能を保障することができる。
【００５８】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００５９】
例えば、上記実施形態では、油トラップ部の潤滑油をエジェクターで返送する形態について説明したが、本発明はこの形態に限定されることなく、例えばポンプによって潤滑油を油タンクに返送する形態であってもよい。
【００６０】
また、例えば、上記実施形態では、油トラップ部の冷媒を、ヒーター、圧縮冷媒ガス、冷却水、あるいは大気、によって加熱すると説明したが、本発明はこの形態に限定されることなく、例えば、蒸気やバーナー等によって加熱する形態であってもよい。
【符号の説明】
【００６１】
１…ターボ冷凍機、２…凝縮器、４…蒸発器、５…ターボ圧縮機、１３，１４…インペラ、４０…油トラップ部、５０…ヒーター（加熱部）、５１…熱交換器、５２…熱交換器、６０…油返送部、１００…液面、Ｘ１…圧縮冷媒ガス（圧縮された冷媒）、Ｘ２…冷媒液（液化した冷媒）、Ｘ３…冷媒ガス（圧縮される冷媒）
【図１】
2014066396.tif 000003
【図２】
2014066396.tif 000004
【図３】
2014066396.tif 000005
【図４】
2014066396.tif 000006
【図５】
2014066396.tif 000007